(57)【要約】【課題】本発明はサイズ可変なパッキン箱を開示した。【解決手段】箱を含み、前記箱の中にはパッキン箱機構が設置されており、前記パッキン箱機構は四つ折畳板と、保管溝と四つの収納板を含み、四つの前記箱と四つの前記折畳板とがヒンジで接続され、四つの前記箱も四つの前記収納板とヒンジで接続され、左側の二つの前記折畳板及び右側の二つの前記折畳板の間がそれぞれヒンジで接続され、上側の二つの前記収納板及び下側の二つの前記収納板の間がそれぞれヒンジで接続され、前記箱の中には前記箱を提げるロープが設置されており、前記パッキン箱機構の中にはロック機構が設置されており、この装置は体積の大きさを便利に切り替えられ、それにより異なる商品を保管するニーズを満たし、それに小さい体積の時には四層に分けられて精巧であり、大きい体積の時には手に提げられ、使用に力を省ける。【選択図】図１
2020164237.tif 000002
【特許請求の範囲】
【請求項１】
サイズ可変なパッキン箱であって、箱を含み、その特徴は、前記箱の中にはパッキン箱機構が設置されており、前記パッキン箱機構は四つ折畳板と、保管溝と四つの収納板を含み、四つの前記箱と四つの前記折畳板とがヒンジで接続され、四つの前記箱も四つの前記収納板とヒンジで接続され、左側の二つの前記折畳板及び右側の二つの前記折畳板の間がそれぞれヒンジで接続され、上側の二つの前記収納板及び下側の二つの前記収納板の間がそれぞれヒンジで接続され、前記箱の中には前記箱を提げるロープが設置されており、前記パッキン箱機構の中にはロック機構が設置されており、前記折畳板の中には縦溝が設置されており、前記収納板の中には横溝が設置されており、前記ロック機構は回転ブロックと従動ブロックを含み、前記回転ブロックの中には方形溝が設置されており、前記従動ブロックには方形棒が設置されており、前記方形溝と前記方形棒の妨げによって、前記回転ブロックと前記従動ブロックとは相対的に回転できなく、前記回転ブロックと前記従動ブロックは前記横溝と前記縦溝をロックし、これにより前記折畳板と横溝を移動できないようにし、前記箱の後端面には底板が固定され、隣接する二つの前記底板の間がスライドできるように接続されており、前記底板には二つの拡充板と二つの延伸板がヒンジで接続され、隣接する前記延伸板と拡充板の間がスライドできるように接続されており、前記回転ブロックの前端面には溝ブロックが左右に対称的に固定され、前記溝ブロックの上端面には弓形溝が設置されており、前記従動ブロックの前端面には弓形ブロックが左右に対称的に固定され、前記弓形ブロックが弓形溝に差し込むと前記回転ブロックと前記従動ブロックをロックできることを特徴とするサイズ可変なパッキン箱。
【請求項２】
前記パッキン箱機構は保管溝を含み、前記箱の中には保管溝が設置されており、上下側の前記箱の間には二つの折畳板がヒンジで接続され、前記折畳板の間が互いにヒンジで接続され、左右側の前記箱の間には二つの収納板がヒンジで接続され、前記収納板の間が互いにヒンジで接続され、前記折畳板の前端面には前記折畳板の上下端面を貫通する横溝が設置されており、前記収納板の前端面には前記収納板の左右端面を貫通する前記横溝が設置されており、上側の前記横溝の下端壁には細溝が設置されており、前記箱の後端壁には陳列で分布する四つの底板が固定され、四つの前記箱の前端面には一つの蓋がスライドできるように設置されている；
その中、左上側の前記底板の右端面には移動溝が設置され、且つ左上側の前記底板の下端面には移動板が固定され、前記移動板の下端は左下側の前記移動溝の中に位置し、前記移動板の下端には位置制限ブロックが固定され、下端の二つの前記底板には互いにヒンジで接続される二つの延伸板がヒンジで接続され、上側の二つの前記底板には互いにヒンジで接続される二つの拡充板がヒンジで接続され、前記拡充板の中には延伸溝が設置されており、前記延伸板の上端面には上端が前記延伸溝の中に位置する延伸棒が固定され、前記延伸棒の上端には延伸ブロックが固定され、前記箱の中にはロープ溝が設置されており、前記ロープ溝の中には制限ブロックがスライドできるように設置されており、下側の二つの前記制限ブロック及び上側の二つの前記制限ブロックはそれぞれロープによって接続され、それに、前記回転ブロックと前記従動ブロックの妨げによって、前記折畳板は移動できないことを特徴とする請求項１に記載のサイズ可変なパッキン箱。
【請求項３】
前記ロック機構は支えブロックを含み、前記回転ブロックには左側の前記細溝を貫通する細い棒が固定され、前記回転ブロックの右端面には前記回転ブロックの前後端面を貫通するＵ字溝が上下に対称的に設置されており、前記Ｕ字溝の上端壁には方形溝が設置されており、前記回転ブロックの下端壁には弾性溝が設置されており、前記弾性溝の下端壁には圧縮される弾性撥条が固定され、前記弾性撥条の上端には前記弾性撥条とスライドできるように設置される弾性ブロックが固定され、前記従動ブロックには右側の前記細溝を貫通する手提げ棒が固定され、前記従動ブロックの左端面には支えブロックが上下に対称的に固定され、前記支えブロックの上端面には上端が前記方形溝の中に位置する前記方形棒が固定され、前記支えブロックの下端面には下端が前記弾性溝の中に位置する円状棒が固定され、それに前記方形棒と前記方形溝との係合によって、前記回転ブロックと前記従動ブロックの間が相対的に回転できないことを特徴とする請求項１に記載のサイズ可変なパッキン箱。
【発明の詳細な説明】
【技術分野】
【０００１】
本発明は生活用品の分野を取り上げて、具体的にはサイズ可変なパッキン箱である。
背景技術
【背景技術】
【０００２】
パッキン箱は商品の包装であり、商品の保管及び保護に使われ、携帯に便利を与える上に美観な外観を持ち、ところが現有のパッキン箱は大体形式が単一であり、大きさが調節できず、消費者のニーズを満足できない。
【先行技術文献】
【特許文献】
【０００３】
【特許文献１】中国特許出願公開第１０９３６７９７４号明細書
【発明の概要】
【発明が解決しようとする課題】
【０００４】
本発明の目的はサイズ可変なパッキン箱を提供し、上記背景技術に提出される問題を解決する。
【課題を解決するための手段】
【０００５】
本発明が提出される実施例：サイズ可変なパッキン箱は、箱を含み、前記箱の中にはパッキン箱機構が設置されており、前記パッキン箱機構は四つ折畳板と、保管溝と四つの収納板を含み、四つの前記箱と四つの前記折畳板とがヒンジで接続され、四つの前記箱も四つの前記収納板とヒンジで接続され、左側の二つの前記折畳板及び右側の二つの前記折畳板の間がそれぞれヒンジで接続され、上側の二つの前記収納板及び下側の二つの前記収納板の間がそれぞれヒンジで接続され、前記箱の中には前記箱を提げるロープが設置されており、前記パッキン箱機構の中にはロック機構が設置されており、前記折畳板の中には縦溝が設置されており、前記収納板の中には横溝が設置されており、前記ロック機構は回転ブロックと従動ブロックを含み、前記回転ブロックの中には方形溝が設置されており、前記従動ブロックには方形棒が設置されており、前記方形溝と前記方形棒の妨げによって、前記回転ブロックと前記従動ブロックとは相対的に回転できなく、前記回転ブロックと前記従動ブロックは前記横溝と前記縦溝をロックし、これにより前記折畳板と横溝を移動できないようにし、前記箱の後端面には底板が固定され、隣接する二つの前記底板の間がスライドできるように接続されており、前記底板には二つの拡充板と二つの延伸板がヒンジで接続され、隣接する前記延伸板と拡充板の間がスライドできるように接続されており、前記回転ブロックの前端面には溝ブロックが左右に対称的に固定され、前記溝ブロックの上端面には弓形溝が設置されており、前記従動ブロックの前端面には弓形ブロックが左右に対称的に固定され、前記弓形ブロックが弓形溝に差し込むと前記回転ブロックと前記従動ブロックをロックできる。
【０００６】
更なる技術方案、前記パッキン箱機構は保管溝を含み、前記箱の中には保管溝が設置されており、上下側の前記箱の間には二つの折畳板がヒンジで接続され、前記折畳板の間が互いにヒンジで接続され、左右側の前記箱の間には二つの収納板がヒンジで接続され、前記収納板の間が互いにヒンジで接続され、前記折畳板の前端面には前記折畳板の上下端面を貫通する横溝が設置されており、前記収納板の前端面には前記収納板の左右端面を貫通する前記横溝が設置されており、上側の前記横溝の下端壁には細溝が設置されており、前記箱の後端壁には陳列で分布する四つの底板が固定され、四つの前記箱の前端面には一つの蓋がスライドできるように設置されている；
【０００７】
その中、左上側の前記底板の右端面には移動溝が設置され、且つ左上側の前記底板の下端面には移動板が固定され、前記移動板の下端は左下側の前記移動溝の中に位置し、前記移動板の下端には位置制限ブロックが固定され、下端の二つの前記底板には互いにヒンジで接続される二つの延伸板がヒンジで接続され、上側の二つの前記底板には互いにヒンジで接続される二つの拡充板がヒンジで接続され、前記拡充板の中には延伸溝が設置されており、前記延伸板の上端面には上端が前記延伸溝の中に位置する延伸棒が固定され、前記延伸棒の上端には延伸ブロックが固定され、前記箱の中にはロープ溝が設置されており、前記ロープ溝の中には制限ブロックがスライドできるように設置されており、下側の二つの前記制限ブロック及び上側の二つの前記制限ブロックはそれぞれロープによって接続され、それに、前記回転ブロックと前記従動ブロックの妨げによって、前記折畳板は移動できない。
【０００８】
更なる技術方案、前記ロック機構は支えブロックを含み、前記回転ブロックには左側の前記細溝を貫通する細い棒が固定され、前記回転ブロックの右端面には前記回転ブロックの前後端面を貫通するＵ字溝が上下に対称的に設置されており、前記Ｕ字溝の上端壁には方形溝が設置されており、前記回転ブロックの下端壁には弾性溝が設置されており、前記弾性溝の下端壁には圧縮される弾性撥条が固定され、前記弾性撥条の上端には前記弾性撥条とスライドできるように設置される弾性ブロックが固定され、前記従動ブロックには右側の前記細溝を貫通する手提げ棒が固定され、前記従動ブロックの左端面には支えブロックが上下に対称的に固定され、前記支えブロックの上端面には上端が前記方形溝の中に位置する前記方形棒が固定され、前記支えブロックの下端面には下端が前記弾性溝の中に位置する円状棒が固定され、それに前記方形棒と前記方形溝との係合によって、前記回転ブロックと前記従動ブロックの間が相対的に回転できない。
【発明の効果】
【０００９】
本発明の有益な効果は下記の通りである：
【００１０】
この装置は結構が斬新的であり、体積の大きさを便利に切り替えられ、それにより異なる商品を保管するニーズを満たし、それに小さい体積の時には四層に分けられて精巧であり、大きい体積の時には手に提げられ、使用に力を省ける。
【図面の簡単な説明】
【００１１】
以下、図１−７をあわせて本発明を詳しく説明し、便利に叙述するように、現在は後文に出る方位を下記の通りに規定する：後文に出る上下左右前後方向は図１本体の投影関係の上下左右前後方向と一致する。
【図１】図１は本発明のサイズ可変なパッキン箱の全体断面の正面構成模式図であり；
【図２】図２は本発明のサイズ可変なパッキン箱の支えブロックの拡大構成模式図であり；
【図３】図３は本発明のサイズ可変なパッキン箱の底板の正面断面構成模式図であり；
【図４】図４は本発明のサイズ可変なパッキン箱の底板の平面断面構成模式図であり；
【図５】図５は本発明のサイズ可変なパッキン箱の保管溝の正面構成模式図であり；
【図６】図６は本発明のサイズ可変なパッキン箱の蓋の平面断面構成模式図であり；
【図７】図７は本発明のサイズ可変なパッキン箱の回転ブロックの平面断面構成模式図である。
【発明を実施するための形態】
【００１２】
本説明書によって公開されるすべての特徴、或いは公開されるすべての方法或いは過程中の順序は、互いに排斥する特徴或いは順序以外、いかなる方法で組み合わせる。
【００１３】
図１−７に示されるように、本発明のサイズ可変なパッキン箱は、ケース１２を含み、前記ケース１２の頂端にはケース蓋１１がヒンジで設置され、前記ケース１２の中には左右に対称的な収納チャンバ１３が設置され、前記収納チャンバ１３の中には十四組のトレイ１４がスライドできるように設置され、その中、前記トレイ１４の中には距離増えチャンバ５４が設置され、前記距離増えチャンバ５４の中には相隣の前記トレイ１４の間の距離を拡大させる距離増え装置１００が設置され、前記ケース１２の中には前記収納チャンバ１３と連通して前後に対称的な距離増え装置１００が設置され、前記ケース１２の中には前記収納チャンバ１３と連通して前後に対称的な昇降チャンバ２８が設置され、前記昇降チャンバ２８の中には前記トレイ１４を上げる昇降装置２００が設置され、前記ケース１２の中には翻転チャンバ２０が設置され、前記翻転チャンバ２０の中には前記ケース蓋を回転させる翻転装置３００が設置され、前記翻転チャンバ２０の底壁の中には主チャンバ２７が設置され、前記主チャンバ２７の中には動力装置４００が設置され、前記主チャンバ２７の中には前記動力装置４００の動力出力位置を制御できる制御装置５００が設置され、その中、前記動力装置４００は前記主チャンバ２７の後壁の中に設置されたモーター４２を含み、前記主チャンバ２７の中には前記モーター４２と伝動できるように連結されている動力軸２５が設置され、前記動力軸２５の外壁にはウォーム２６が設置され、前記動力軸２５の外壁にはスライドできる中空軸４１が設置され、前記中空軸４１の外壁には動力歯車２４が設置されている；前記動力装置４００は反転装置３００を回転連動させ、前記ケース蓋１１を開け、且つ前記昇降装置２００によって前記トレイ１４を上にスライドさせ、衣服を保存するのが便利である。図１−７を参考して、本発明が提出される実施例：サイズ可変なパッキン箱は、箱１０を含み、前記箱１０の中にはパッキン箱機構６０が設置されており、前記パッキン箱機構６０は四つ折畳板１３と、保管溝１１と四つの収納板１７を含み、四つの前記箱１０と四つの前記折畳板１３とがヒンジで接続され、四つの前記箱１０も四つの前記収納板１７とヒンジで接続され、左側の二つの前記折畳板１３及び右側の二つの前記折畳板１３の間がそれぞれヒンジで接続され、上側の二つの前記収納板１７及び下側の二つの前記収納板１７の間がそれぞれヒンジで接続され、前記箱１０の中には前記箱１０を提げるロープ２１が設置されており、前記パッキン箱機構６０の中にはロック機構６１が設置されており、前記折畳板１３の中には縦溝１４が設置されており、前記収納板１７の中には横溝１８が設置されており、前記ロック機構６１は回転ブロック１５と従動ブロック１９を含み、前記回転ブロック１５の中には方形溝３２が設置されており、前記従動ブロック１９には方形棒３１が設置されており、前記方形溝３２と前記方形棒３１の妨げによって、前記回転ブロック１５と前記従動ブロック１９とは相対的に回転できなく、前記回転ブロック１５と前記従動ブロック１９は前記横溝１８と前記縦溝１４をロックし、これにより前記折畳板１３と横溝１８を移動できないようにし、前記箱１０の後端面には底板３７が固定され、隣接する二つの前記底板３７の間がスライドできるように接続されており、前記底板３７には二つの拡充板４５と二つの延伸板４０がヒンジで接続され、隣接する前記延伸板４０と拡充板４５の間がスライドできるように接続されており、前記回転ブロック１５の前端面には溝ブロック４８が左右に対称的に固定され、前記溝ブロック４８の上端面には弓形溝４９が設置されており、前記従動ブロック１９の前端面には弓形ブロック５０が左右に対称的に固定され、前記弓形ブロック５０が弓形溝４９に差し込むと前記回転ブロック１５と前記従動ブロック１９をロックできる。
【００１４】
有益なように、前記パッキン箱機構６０は保管溝１１を含み、前記箱１０の中には保管溝１１が設置されており、上下側の前記箱１０の間には二つの折畳板１３がヒンジで接続され、前記折畳板１３の間が互いにヒンジで接続され、左右側の前記箱１０の間には二つの収納板１７がヒンジで接続され、前記収納板１７の間が互いにヒンジで接続され、前記折畳板１３の前端面には前記折畳板１３の上下端面を貫通する横溝１８が設置されており、前記収納板１７の前端面には前記収納板１７の左右端面を貫通する前記横溝１８が設置されており、上側の前記横溝１８の下端壁には細溝３３が設置されており、前記箱１０の後端壁には陳列で分布する四つの底板３７が固定され、四つの前記箱１０の前端面には一つの蓋１２がスライドできるように設置されている；
【００１５】
その中、左上側の前記底板３７の右端面には移動溝３８が設置され、且つ左上側の前記底板３７の下端面には移動板３６が固定され、前記移動板３６の下端は左下側の前記移動溝３８の中に位置し、前記移動板３６の下端には位置制限ブロック３５が固定され、下端の二つの前記底板３７には互いにヒンジで接続される二つの延伸板４０がヒンジで接続され、上側の二つの前記底板３７には互いにヒンジで接続される二つの拡充板４５がヒンジで接続され、前記拡充板４５の中には延伸溝４４が設置されており、前記延伸板４０の上端面には上端が前記延伸溝４４の中に位置する延伸棒４２が固定され、前記延伸棒４２の上端には延伸ブロック４３が固定され、前記箱１０の中にはロープ溝４７が設置されており、前記ロープ溝４７の中には制限ブロック４６がスライドできるように設置されており、下側の二つの前記制限ブロック４６及び上側の二つの前記制限ブロック４６はそれぞれロープ２１によって接続され、それに、前記回転ブロック１５と前記従動ブロック１９の妨げによって、前記折畳板１３は移動できない。
【００１６】
有益なように、前記ロック機構６１は支えブロック２９を含み、前記回転ブロック１５には左側の前記細溝３３を貫通する細い棒１６が固定され、前記回転ブロック１５の右端面には前記回転ブロック１５の前後端面を貫通するＵ字溝２４が上下に対称的に設置されており、前記Ｕ字溝の上端壁には方形溝３２が設置されており、前記回転ブロック１５の下端壁には弾性溝２６が設置されており、前記弾性溝２６の下端壁には圧縮される弾性撥条２７が固定され、前記弾性撥条２７の上端には前記弾性撥条２６とスライドできるように設置される弾性ブロック２８が固定され、前記従動ブロック１９には右側の前記細溝３３を貫通する手提げ棒２２が固定され、前記従動ブロック１９の左端面には支えブロック２９が上下に対称的に固定され、前記支えブロック２９の上端面には上端が前記方形溝３２の中に位置する前記方形棒３１が固定され、前記支えブロック２９の下端面には下端が前記弾性溝２６の中に位置する円状棒２５が固定され、それに前記方形棒３１と前記方形溝３２との係合によって、前記回転ブロック１５と前記従動ブロック１９の間が相対的に回転できない。
【００１７】
以下、付図１−７及び上記の本願発明のサイズ可変なパッキン箱の具体的な構造を参考してその使い方を詳しく説明する：
【００１８】
初期は小さいパッキン箱の状態であり、保管溝１１は四つの空間に分けられて物品を放置でき、より大きい空間をほしい時、蓋１２を取り外し、回転ブロック１２と従動ブロック１９を取り外し、箱１０を外へ引っ張り、収納板１７と折畳板１３を９０度回転させ、これにより保管溝１１を拡大させて隔てをなくし、四つの底板３７は互いに遠ざかり、拡充板４５と延伸板４０が回転して互いに遠ざかって底板３７の運動によって生じる穴を塞ぐ。従動ブロック１９を回転ブロック１５から抜き出し、方形棒３１を弾性溝２６の中に差し込み、円状棒２５を方形溝３２に差し込み、この時回転ブロック１５と従動ブロック１９とは相対的に回転でき、二本のロープ２１の引き出し、回転ブロック１５と従動ブロック１９を回して溝ブロック４８と弓形ブロック５０によって二本のロープ２１を固定し、この時装置の体積が大きくなり、且つ細い棒１６と手提げ棒２０によって手に提げられる。
【００１９】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。
【図１】
2020164237.tif 000003
【図２】
2020164237.tif 000004
【図３】
2020164237.tif 000005
【図４】
2020164237.tif 000006
【図５】
2020164237.tif 000007
【図６】
2020164237.tif 000008
【図７】
2020164237.tif 000009
【手続補正書】
【提出日】令和1年7月20日(2019.7.20)
【手続補正１】
【補正対象書類名】特許請求の範囲
【補正対象項目名】全文
【補正方法】変更
【補正の内容】
【特許請求の範囲】
【請求項１】
サイズ可変なパッキン箱であって、横方向に設置された軸の延びる方向を前記サイズ可変なパッキン箱の左右方向の基準とし、横方向の軸に垂直している軸の延びる方向の次元を前記サイズ可変なパッキン箱の前後方向の基準とし、箱を含み、前記箱の中にはパッキン箱機構が設置されており、前記パッキン箱機構は四つ折畳板と、保管溝と四つの収納板を含み、四つの前記箱と四つの前記折畳板とがヒンジで接続され、四つの前記箱も四つの前記収納板とヒンジで接続され、左側の二つの前記折畳板及び右側の二つの前記折畳板の間がそれぞれヒンジで接続され、上側の二つの前記収納板及び下側の二つの前記収納板の間がそれぞれヒンジで接続され、前記箱の中には前記箱を提げるロープが設置されており、前記パッキン箱機構の中にはロック機構が設置されており、前記折畳板の中には縦溝が設置されており、前記収納板の中には横溝が設置されており、前記ロック機構は回転ブロックと従動ブロックを含み、前記回転ブロックの中には方形溝が設置されており、前記従動ブロックには方形棒が設置されており、前記方形溝と前記方形棒の妨げによって、前記回転ブロックと前記従動ブロックとは相対的に回転できなく、前記回転ブロックと前記従動ブロックは前記横溝と前記縦溝をロックし、これにより前記折畳板と横溝を移動できないようにし、前記箱の後端面には底板が固定され、隣接する二つの前記底板は相対的にスライドでき、前記底板には二つの拡充板と二つの延伸板がヒンジで接続され、隣接する前記延伸板と拡充板の間がスライドできるように接続されており、前記回転ブロックの前端面には第一固定ブロックが左右に対称的に固定され、前記第一固定ブロックの上端面には開口チャンバが設置されており、前記従動ブロックの前端面には第二固定ブロックが左右に対称的に固定され、前記第二固定ブロックが開口チャンバに差し込むと前記回転ブロックと前記従動ブロックをロックできることを特徴とするサイズ可変なパッキン箱。
【請求項２】
前記パッキン箱機構は保管溝を含み、前記箱の中には保管溝が設置されており、上下側の前記箱の間には二つの折畳板がヒンジで接続され、前記折畳板の間が互いにヒンジで接続され、左右側の前記箱の間には二つの収納板がヒンジで接続され、前記収納板の間が互いにヒンジで接続され、前記折畳板の前端面には前記折畳板の上下端面を貫通する横溝が設置されており、前記収納板の前端面には前記収納板の左右端面を貫通する前記横溝が設置されており、上側の前記横溝の下側内壁には細溝が設置されており、前記箱の後端壁には陳列で分布する四つの底板が固定され、四つの前記箱の前端面には一つの蓋がスライドできるように設置されており、
その中、左上側の前記底板の右端面には移動溝が設置され、且つ左上側の前記底板の下端面には移動板が固定され、前記移動板の下端は左下側の前記移動溝の中に位置し、前記移動板の下端には位置制限ブロックが固定され、下端の二つの前記底板には互いにヒンジで接続される二つの延伸板がヒンジで接続され、上側の二つの前記底板には互いにヒンジで接続される二つの拡充板がヒンジで接続され、前記拡充板の中には延伸溝が設置されており、前記延伸板の上側端面には延伸棒が固定的に設置され、前記延伸棒の上端が前記延伸溝の中に位置しており、前記延伸棒の上端には延伸ブロックが固定され、前記箱の中にはロープ溝が設置されており、前記ロープ溝の中には制限ブロックがスライドできるように設置されており、上側の二つの前記制御ブロックの間がロープによって連結され、下側の二つの前記制御ブロックがもう一つの前記ロープによって連結され、それに、前記回転ブロックと前記従動ブロックの妨げによって、前記折畳板は移動できないことを特徴とする請求項１に記載のサイズ可変なパッキン箱。
【請求項３】
前記ロック機構は支えブロックを含み、前記回転ブロックには左側の前記細溝を貫通する細い棒が固定され、前記回転ブロックの右端面には前記回転ブロックの前後端面を貫通するＵ字溝が上下に対称的に設置されており、前記Ｕ字溝の上側内壁には方形溝が設置されており、前記回転ブロックの下側内壁には弾性溝が設置されており、前記弾性溝の下側内壁には圧縮される弾性撥条が固定され、前記弾性撥条の上端には前記弾性溝の中でスライドできる弾性ブロックが固定的に連結され、前記従動ブロックには右側の前記細溝を貫通する手提げ棒が固定され、前記従動ブロックの左端面には支えブロックが上下に対称的に固定され、前記支えブロックの上端面には上端が前記方形溝の中に位置する前記方形棒が固定され、前記支えブロックの下端面には下端が前記弾性溝の中に位置する円状棒が固定され、それに前記方形棒と前記方形溝との係合によって、前記回転ブロックと前記従動ブロックの間が相対的に回転できないことを特徴とする請求項２に記載のサイズ可変なパッキン箱。
【手続補正２】
【補正対象書類名】明細書
【補正対象項目名】全文
【補正方法】変更
【補正の内容】
【発明の詳細な説明】
【技術分野】
【０００１】
本発明は生活用品の分野を取り上げて、具体的にはサイズ可変なパッキン箱である。
背景技術
【背景技術】
【０００２】
パッキン箱は商品の包装であり、商品の保管及び保護に使われ、携帯に便利を与える上に美観な外観を持ち、ところが現有のパッキン箱は大体形式が単一であり、大きさが調節できず、消費者のニーズを満足できない。
【先行技術文献】
【特許文献】
【０００３】
【特許文献１】中国特許出願公開第１０９３６７９７４号明細書
【発明の概要】
【発明が解決しようとする課題】
【０００４】
本発明の目的はサイズ可変なパッキン箱を提供し、上記背景技術に提出される問題を解決する。
【課題を解決するための手段】
【０００５】
本発明が提出される実施例：サイズ可変なパッキン箱は、箱を含み、前記箱の中にはパッキン箱機構が設置されており、前記パッキン箱機構は四つ折畳板と、保管溝と四つの収納板を含み、四つの前記箱と四つの前記折畳板とがヒンジで接続され、四つの前記箱も四つの前記収納板とヒンジで接続され、左側の二つの前記折畳板及び右側の二つの前記折畳板の間がそれぞれヒンジで接続され、上側の二つの前記収納板及び下側の二つの前記収納板の間がそれぞれヒンジで接続され、前記箱の中には前記箱を提げるロープが設置されており、前記パッキン箱機構の中にはロック機構が設置されており、前記折畳板の中には縦溝が設置されており、前記収納板の中には横溝が設置されており、前記ロック機構は回転ブロックと従動ブロックを含み、前記回転ブロックの中には方形溝が設置されており、前記従動ブロックには方形棒が設置されており、前記方形溝と前記方形棒の妨げによって、前記回転ブロックと前記従動ブロックとは相対的に回転できなく、前記回転ブロックと前記従動ブロックは前記横溝と前記縦溝をロックし、これにより前記折畳板と横溝を移動できないようにし、前記箱の後端面には底板が固定され、隣接する二つの前記底板は相対的にスライドでき、前記底板には二つの拡充板と二つの延伸板がヒンジで接続され、隣接する前記延伸板と拡充板の間がスライドできるように接続されており、前記回転ブロックの前端面には第一固定ブロックが左右に対称的に固定され、前記第一固定ブロックの上端面には開口チャンバが設置されており、前記従動ブロックの前端面には第二固定ブロックが左右に対称的に固定され、前記第二固定ブロックが開口チャンバに差し込むと前記回転ブロックと前記従動ブロックをロックできる。
【０００６】
更なる技術方案、前記パッキン箱機構は保管溝を含み、前記箱の中には保管溝が設置されており、上下側の前記箱の間には二つの折畳板がヒンジで接続され、前記折畳板の間が互いにヒンジで接続され、左右側の前記箱の間には二つの収納板がヒンジで接続され、前記収納板の間が互いにヒンジで接続され、前記折畳板の前端面には前記折畳板の上下端面を貫通する横溝が設置されており、前記収納板の前端面には前記収納板の左右端面を貫通する前記横溝が設置されており、上側の前記横溝の下側内壁には細溝が設置されており、前記箱の後端壁には陳列で分布する四つの底板が固定され、四つの前記箱の前端面には一つの蓋がスライドできるように設置されている。
【０００７】
その中、左上側の前記底板の右端面には移動溝が設置され、且つ左上側の前記底板の下端面には移動板が固定され、前記移動板の下端は左下側の前記移動溝の中に位置し、前記移動板の下端には位置制限ブロックが固定され、下端の二つの前記底板には互いにヒンジで接続される二つの延伸板がヒンジで接続され、上側の二つの前記底板には互いにヒンジで接続される二つの拡充板がヒンジで接続され、前記拡充板の中には延伸溝が設置されており、前記延伸板の上側端面には延伸棒が固定的に設置され、前記延伸棒の上端が前記延伸溝の中に位置しており、前記延伸棒の上端には延伸ブロックが固定され、前記箱の中にはロープ溝が設置されており、前記ロープ溝の中には制限ブロックがスライドできるように設置されており、上側の二つの前記制御ブロックの間がロープによって連結され、下側の二つの前記制御ブロックがもう一つの前記ロープによって連結され、それに、前記回転ブロックと前記従動ブロックの妨げによって、前記折畳板は移動できない。
【０００８】
更なる技術方案、前記ロック機構は支えブロックを含み、前記回転ブロックには左側の前記細溝を貫通する細い棒が固定され、前記回転ブロックの右端面には前記回転ブロックの前後端面を貫通するＵ字溝が上下に対称的に設置されており、前記Ｕ字溝の上側内壁には方形溝が設置されており、前記回転ブロックの下側内壁には弾性溝が設置されており、前記弾性溝の下側内壁には圧縮される弾性撥条が固定され、前記弾性撥条の上端には前記弾性溝の中でスライドできる弾性ブロックが固定的に連結され、前記従動ブロックには右側の前記細溝を貫通する手提げ棒が固定され、前記従動ブロックの左端面には支えブロックが上下に対称的に固定され、前記支えブロックの上端面には上端が前記方形溝の中に位置する前記方形棒が固定され、前記支えブロックの下端面には下端が前記弾性溝の中に位置する円状棒が固定され、それに前記方形棒と前記方形溝との係合によって、前記回転ブロックと前記従動ブロックの間が相対的に回転できない。
【発明の効果】
【０００９】
本発明の有益な効果は下記の通りである：
【００１０】
この装置は結構が斬新的であり、体積の大きさを便利に切り替えられ、それにより異なる商品を保管するニーズを満たし、それに小さい体積の時には四層に分けられて精巧であり、大きい体積の時には手に提げられ、使用に力を省ける。
【図面の簡単な説明】
【００１１】
以下、図１−７をあわせて本発明を詳しく説明し、便利に叙述するように、現在は後文に出る方位を下記の通りに規定する：後文に出る上下左右前後方向は図１本体の投影関係の上下左右前後方向と一致する。
【図１】図１は本発明のサイズ可変なパッキン箱の全体断面の正面構成模式図
【図２】図２は本発明のサイズ可変なパッキン箱の支えブロックの拡大構成模式図
【図３】図３は本発明のサイズ可変なパッキン箱の底板の正面断面構成模式図
【図４】図４は本発明のサイズ可変なパッキン箱の底板の平面断面構成模式図
【図５】図５は本発明のサイズ可変なパッキン箱の保管溝の正面構成模式図
【図６】図６は本発明のサイズ可変なパッキン箱の蓋の平面断面構成模式図
【図７】図７は本発明のサイズ可変なパッキン箱の回転ブロックの平面断面構成模式図
【発明を実施するための形態】
【００１２】
本説明書によって公開されるすべての特徴、或いは公開されるすべての方法或いは過程中の順序は、互いに排斥する特徴或いは順序以外、いかなる方法で組み合わせる。
【００１３】
図１−７を参考して、本発明のサイズ可変なパッキン箱は、箱１０を含み、前記箱１０の中にはパッキン箱機構６０が設置されており、前記パッキン箱機構６０は四つ折畳板１３と、保管溝１１と四つの収納板１７を含み、四つの前記箱１０と四つの前記折畳板１３とがヒンジで接続され、四つの前記箱１０も四つの前記収納板１７とヒンジで接続され、左側の二つの前記折畳板１３及び右側の二つの前記折畳板１３の間がそれぞれヒンジで接続され、上側の二つの前記収納板１７及び下側の二つの前記収納板１７の間がそれぞれヒンジで接続され、前記箱１０の中には前記箱１０を提げるロープ２１が設置されており、前記パッキン箱機構６０の中にはロック機構６１が設置されており、前記折畳板１３の中には縦溝１４が設置されており、前記収納板１７の中には横溝１８が設置されており、前記ロック機構６１は回転ブロック１５と従動ブロック１９を含み、前記回転ブロック１５の中には方形溝３２が設置されており、前記従動ブロック１９には方形棒３１が設置されており、前記方形溝３２と前記方形棒３１の妨げによって、前記回転ブロック１５と前記従動ブロック１９とは相対的に回転できなく、前記回転ブロック１５と前記従動ブロック１９は前記横溝１８と前記縦溝１４をロックし、これにより前記折畳板１３と横溝１８を移動できないようにし、前記箱１０の後端面には底板３７が固定され、隣接する二つの前記底板３７は相対的にスライドでき、前記底板３７には二つの拡充板４５と二つの延伸板４０がヒンジで接続され、隣接する前記延伸板４０と拡充板４５の間がスライドできるように接続されており、前記回転ブロック１５の前端面には第一固定ブロック４８が左右に対称的に固定され、前記第一固定ブロック４８の上端面には開口チャンバ４９が設置されており、前記従動ブロック１９の前端面には第二固定ブロック５０が左右に対称的に固定され、前記第二固定ブロック５０が開口チャンバ４９に差し込むと前記回転ブロック１５と前記従動ブロック１９をロックできる。
【００１４】
有益なように、前記パッキン箱機構６０は保管溝１１を含み、前記箱１０の中には保管溝１１が設置されており、上下側の前記箱１０の間には二つの折畳板１３がヒンジで接続され、前記折畳板１３の間が互いにヒンジで接続され、左右側の前記箱１０の間には二つの収納板１７がヒンジで接続され、前記収納板１７の間が互いにヒンジで接続され、前記折畳板１３の前端面には前記折畳板１３の上下端面を貫通する横溝１８が設置されており、前記収納板１７の前端面には前記収納板１７の左右端面を貫通する前記横溝１８が設置されており、上側の前記横溝１８の下側内壁には細溝３３が設置されており、前記箱１０の後端壁には陳列で分布する四つの底板３７が固定され、四つの前記箱１０の前端面には一つの蓋１２がスライドできるように設置されている。
【００１５】
その中、左上側の前記底板３７の右端面には移動溝３８が設置され、且つ左上側の前記底板３７の下端面には移動板３６が固定され、前記移動板３６の下端は左下側の前記移動溝３８の中に位置し、前記移動板３６の下端には位置制限ブロック３５が固定され、下端の二つの前記底板３７には互いにヒンジで接続される二つの延伸板４０がヒンジで接続され、上側の二つの前記底板３７には互いにヒンジで接続される二つの拡充板４５がヒンジで接続され、前記拡充板４５の中には延伸溝４４が設置されており、前記延伸板４０の上側端面には延伸棒４２が固定的に設置され、前記延伸棒４２の上端が前記延伸溝４４の中に位置しており、前記延伸棒４２の上端には延伸ブロック４３が固定され、前記箱１０の中にはロープ溝４７が設置されており、前記ロープ溝４７の中には制限ブロック４６がスライドできるように設置されており、上側の二つの前記制御ブロック４６の間がロープ２１によって連結され、下側の二つの前記制御ブロック４６がもう一つの前記ロープ２１によって連結され、それに、前記回転ブロック１５と前記従動ブロック１９の妨げによって、前記折畳板１３は移動できない。
【００１６】
有益なように、前記ロック機構６１は支えブロック２９を含み、前記回転ブロック１５には左側の前記細溝３３を貫通する細い棒１６が固定され、前記回転ブロック１５の右端面には前記回転ブロック１５の前後端面を貫通するＵ字溝２４が上下に対称的に設置されており、前記Ｕ字溝の上側内壁には方形溝３２が設置されており、前記回転ブロック１５の下側内壁には弾性溝２６が設置されており、前記弾性溝２６の下側内壁には圧縮される弾性撥条２７が固定され、前記弾性撥条２７の上端には前記弾性溝２６の中でスライドできる弾性ブロック２８が固定的に連結され、前記従動ブロック１９には右側の前記細溝３３を貫通する手提げ棒２２が固定され、前記従動ブロック１９の左端面には支えブロック２９が上下に対称的に固定され、前記支えブロック２９の上端面には上端が前記方形溝３２の中に位置する前記方形棒３１が固定され、前記支えブロック２９の下端面には下端が前記弾性溝２６の中に位置する円状棒２５が固定され、それに前記方形棒３１と前記方形溝３２との係合によって、前記回転ブロック１５と前記従動ブロック１９の間が相対的に回転できない。
【００１７】
以下、付図１−７及び上記の本願発明のサイズ可変なパッキン箱の具体的な構造を参考してその使い方を詳しく説明する：
【００１８】
初期は小さいパッキン箱の状態であり、保管溝１１は四つの空間に分けられて物品を放置でき、より大きい空間をほしい時、蓋１２を取り外し、回転ブロック１２と従動ブロック１９を取り外し、箱１０を外へ引っ張り、収納板１７と折畳板１３を９０度回転させ、これにより保管溝１１を拡大させて隔てをなくし、四つの底板３７は互いに遠ざかり、拡充板４５と延伸板４０が回転して互いに遠ざかって底板３７の運動によって生じる穴を塞ぐ。従動ブロック１９を回転ブロック１５から抜き出し、方形棒３１を弾性溝２６の中に差し込み、円状棒２５を方形溝３２に差し込み、この時回転ブロック１５と従動ブロック１９とは相対的に回転でき、二本のロープ２１の引き出し、回転ブロック１５と従動ブロック１９を回して第一固定ブロック４８と第二固定ブロック５０によって二本のロープ２１を固定し、この時装置の体積が大きくなり、且つ細い棒１６と手提げ棒２０によって手に提げられる。
【００１９】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。